(57)【要約】  タバコ製品またはタバコ関連商品または喫煙装置のためのパッケージ（２０、１２０、２２０、３２０）であって、情報暗号化パターン（１０、１１０）を含むパッケージ（２０、１２０、２２０、３２０）が提供される。前記情報暗号化パターンが、第１の導電特性または第１の誘電特性を有する少なくとも一つの第１の領域（１２）と、第２の導電特性または第２の誘電特性を有する少なくとも一つの第２の領域（１４、１４ａ、１４ｂ、１４ｃ）とを備える。前記第１の導電特性が、前記第２の導電特性とは異なり、前記第１の誘電特性が、前記第２の誘電特性とは異なる。前記情報暗号化パターンが、静電式タッチスクリーンと相互作用するとき、すなわち、前記情報暗号化パターンが前記タッチスクリーンに接近および／または接触するとき、前記情報暗号化パターンが前記静電式タッチスクリーン（２４）、例えばスマートフォンまたはタブレット型コンピュータなどの携帯機器（２２）のタッチスクリーンによって検出可能であるように構成される。
2019505445.tif 000002
【特許請求の範囲】
【請求項１】
タバコ製品またはタバコ関連商品または喫煙装置のためのパッケージ（２０、１２０、２２０、３２０）であって、
前記パッケージ（２０、１２０、２２０、３２０）は情報暗号化パターン（１０、１１０）を含み、
前記情報暗号化パターン（１０、１１０）が、第１の導電特性または第１の誘電特性を有する少なくとも一つの第１の領域（１２）と、第２の導電特性または第２の誘電特性を有する少なくとも一つの第２の領域（１４、１４ａ、１４ｂ、１４ｃ）とを備え、
前記第１の導電特性が、前記第２の導電特性とは異なり、
前記第１の誘電特性が、前記第２の誘電特性とは異なり、
前記情報暗号化パターン（１０、１１０）が、静電式タッチスクリーン（２４）と相互作用するとき、前記情報暗号化パターン（１０、１１０）が前記静電式タッチスクリーン（２４）によって検出可能であるように構成されるパッケージ（２０、１２０、２２０、３２０）。
【請求項２】
前記第１の領域（１２）が、前記パッケージ（２０）の一部を形成し、前記第１の誘電特性を有する第１の材料から形成され、前記情報暗号化パターン（１０）が、前記第１の領域（１２）および前記第１の誘電特性とは異なる前記第２の誘電特性を有する第２の材料から形成される前記少なくとも一つの第２の領域（１４）によって形成されるか、または
前記第１の領域（１２）が、前記パッケージ（２０）の一部を形成し、前記第１の導電特性を有する第１の材料から形成され、前記情報暗号化パターン（１０）は、前記第１の領域（１２）と、前記少なくとも一つの第２の領域（１４）であって、前記第１の導電特性とは異なる前記第２の導電特性を有する第２の材料から形成される第２の領域（１４）とによって形成される請求項１に記載のパッケージ（２０）。
【請求項３】
前記第１の領域（１２）を形成する前記第１の材料が、非導電性であり、
前記少なくとも一つの第２の領域（１４）が、導電性材料、好ましくは導電性インクを前記第１の領域（１２）に選択的に付着、好ましくは印刷することによって形成される請求項２に記載のパッケージ（２０）。
【請求項４】
前記パッケージ（１２０、２２０、３２０）が開封される場合、前記情報暗号化パターン（１０、１１０）が少なくとも部分的に破壊されるように、前記情報暗号化パターン（１０、１１０）が前記パッケージ（１２０、２２０、３２０）に配置される請求項１〜３のいずれか１項に記載のパッケージ（１２０、２２０、３２０）。
【請求項５】
前記パッケージ（２２０）が開封された後、前記情報暗号化パターン（１０）の少なくとも一部（１６）が前記静電式タッチスクリーン（２４）によって依然として検出可能であるように、前記情報暗号化パターン（１０）が前記パッケージ（２２０）に配置される請求項４に記載のパッケージ（２２０）。
【請求項６】
前記パッケージ（２０、１２０、２２０、３２０）は、インナーライナー（２８）と外側包装材（３０）とのいずれか一方または両方を任意選択的に含むカートンベースまたは紙ベースの箱または小包（２２０）または小冊子、または、複数の前記箱または前記小包または前記小冊子を含むコンテナ、または
好ましくは、金属とプラスチックとのいずれか一方または両方から形成された缶または缶詰（２０）またはキャニスタ、または好ましくは、プラスチックまたは箔貼り紙から形成されたポーチである請求項１〜５のいずれか１項に記載のパッケージ（２０、１２０、２２０、３２０）。
【請求項７】
前記パッケージ（２０、１２０、２２０、３２０）は、
紙巻きタバコ、細巻きの葉巻、葉巻またはルースタバコなどの喫煙用タバコ製品、または
噛みタバコ、ディッピングタバコ、溶解タバコ、スヌースまたは嗅ぎタバコなどの無煙タバコの形式にあるタバコ製品を含むか、または
前記パッケージ（２０、１２０、２２０、３２０）は、紙巻きタバコのための巻紙、フィルタ、管またはフィルタ管などの喫煙用または非喫煙用タバコ関連商品を含むか、または
前記パッケージ（２０、１２０、２２０、３２０）は、電子タバコまたはエアゾール発生装置などの電子または非電子喫煙装置を含む請求項１〜６のいずれか１項に記載のパッケージ（２０、１２０、２２０、３２０）。
【請求項８】
タバコ製品またはタバコ関連商品または喫煙装置のためのパッケージ（２０、１２０、２２０、３２０）を製造する方法であって、
タバコ製品またはタバコ関連商品または喫煙装置を保管するように構成されたパッケージ（２０、１２０、２２０、３２０）を設けるステップ（Ｓ１）と、
情報暗号化パターン（１０、１１０）を前記パッケージ（２０、１２０、２２０、３２０）に設けるステップ（Ｓ２）とを含み、
前記情報暗号化パターン（１０、１１０）が、第１の導電特性または第１の誘電特性を有する少なくとも一つの第１の領域（１２）と、第２の導電特性または第２の誘電特性を有する少なくとも一つの第２の領域（１４、１４ａ、１４ｂ、１４ｃ）とを備え、
前記第１の導電特性が、前記第２の導電特性とは異なり、
前記第１の誘電特性が、前記第２の誘電特性とは異なり、
前記情報暗号化パターン（１０、１１０）が、静電式タッチスクリーン（２４）と相互作用するとき、前記情報暗号化パターン（１０、１１０）が、前記静電式タッチスクリーン（２４）によって検出可能であるように構成されるパッケージ（２０、１２０、２２０、３２０）を製造する方法。
【請求項９】
請求項１〜７のいずれか１項に記載のタバコ製品またはタバコ関連商品または喫煙装置のためのパッケージ（２０、１２０、２２０、３２０）と、
静電式タッチスクリーン（２４）、好ましくは携帯機器の形式にある静電式タッチスクリーン（２４）を有する読取装置（２２）とを含み、
前記情報暗号化パターン（１０、１１０）が前記静電式タッチスクリーン（２４）と相互作用するとき、前記読取装置（２２）は、前記静電式タッチスクリーン（２４）を用いて前記パッケージ（２０、１２０、２２０、３２０）の前記情報暗号化パターン（１０、１１０）を検出し、前記情報暗号化パターン（１０、１１０）で暗号化された情報を復号し、好ましくは復号された情報を出力するように構成されるシステム（４０）。
【請求項１０】
前記読取装置（２２）と通信網（３６）を経由して接続される外部サーバ（３８）をさらに備え、
前記読取装置（２２）が、前記復号された情報の少なくとも一部を前記外部サーバ（３８）に送信するように構成され、
前記外部サーバ（３８）が、前記復号された情報を処理するように構成される請求項９に記載のシステム（４０）。
【請求項１１】
前記外部サーバ（３８）が、前記復号された情報に応じて、前記パッケージ（２０、１２０、２２０、３２０）に関する補足データを提供するように構成され、
前記読取装置（２２）が、前記補足データを処理するように構成される請求項１０に記載のシステム（４０）。
【請求項１２】
請求項１〜７のいずれか１項に記載のタバコ製品またはタバコ関連商品または喫煙装置のためのパッケージ（２０、１２０、２２０、３２０）を設けるステップ（ＴＯ）と、
前記情報暗号化パターン（１０、１１０）が静電式タッチスクリーン（２４）と相互作用するとき、読取装置（２２）の前記静電式タッチスクリーン（２４）を用いて、前記パッケージ（２０、１２０、２２０、３２０）の前記情報暗号化パターン（１０、１１０）を検出するステップと、
前記情報暗号化パターン（１０、１１０）で暗号化された情報を復号するステップ（Ｔ２）とを備え、
好ましくは、前記読取装置によって復号された情報を出力するステップ（Ｔ３）を備える消費者通信方法。
【請求項１３】
前記復号された情報を外部サーバ（３８）に前記読取装置によって送信するステップ（Ｔ４）と、
前記外部サーバ（３８）によって前記復号された情報を処理するステップ（Ｔ５）とを備える請求項１２に記載の消費者通信方法。
【請求項１４】
前記復号された情報に応じて、前記パッケージ（２０、１２０、２２０、３２０）に関する補足データを前記読取装置に提供するステップ（Ｔ６、Ｔ７．１、Ｔ７．２）と、
前記補足データを前記読取装置によって処理するステップ（Ｔ８）とを備える請求項１３に記載の消費者通信方法。
【請求項１５】
前記補足データの少なくとも一部は、前記復号された情報が、前記パッケージ（２０、１２０、２２０、３２０）が既に開封されていることを示す場合のみ提供される請求項１４に記載の消費者通信方法。
【発明の詳細な説明】
【技術分野】
【０００１】
本発明は、通常、喫煙用（smokeable）または非喫煙用（non-smokeable）タバコ製品、特に、生タバコ（raw tobacco）、紙巻きタバコ（cigarette）またはスヌース（snus）、または喫煙用または非喫煙用タバコ関連商品、特に、紙巻きタバコのための巻紙（cigarette paper）、フィルタ、チューブまたはフィルタチューブ、または電子または非電子喫煙装置、特に電子タバコまたはエアゾール発生装置のためのパッケージであって、情報暗号化パターンを含むパッケージに関する。本発明は、さらにこのようなパッケージを製造する方法、このようなパッケージを備えるシステム、およびこのようなパッケージに関する消費者通信方法（consumer communication method）に関する。
【背景技術】
【０００２】
タバコ製品またはタバコ関連商品または喫煙装置を、特にバッグ、折り畳み箱および缶に梱包することが知られている。既知のパッケージは、例えば回動可能かつ取り外し可能なキャップ、引き延ばされることができるか、振り出されることができる内側の部分、または取り外し可能な缶蓋の形式で密封手段を有することができる。
【０００３】
当該技術分野において、タバコ製品のためのパッケージングに安全要素（security element）を設けることが知られている。電子安全要素、例えばRFIDタグなどの電子安全要素は、一方では、電子物品監視を支援することができる。他方では、RFIDタグは、製品の信頼性または真正性を提供する安全要素として機能する。これに関連して、ホログラムなどの非電子安全要素も知られている。代替的には、安全要素は、それぞれのパッケージングに手が加えられているか否か、特に、それぞれのパッケージが既に開封されているか否かを示すシールとして使用され得る。その目的を達成するため、パッケージングに手が加えられるか、開封される場合、RFIDタグのアンテナおよび／またはチップが破壊されるようにRFIDタグをパッケージングに配置することが提案されている。言い換えると、RFIDタグはその結果停止され、もはや認証機能（authenticity feature）として使用することができない。
【先行技術文献】
【特許文献】
【０００４】
【特許文献１】米国特許出願公開２０１４／０１１１４６９号公報
【発明の概要】
【発明が解決しようとする課題】
【０００５】
本発明の目的は、偽造に対する確実な保護を低コストかつ使用性を向上させて提供するタバコ製品またはタバコ関連商品または喫煙装置のためのパッケージを提案することである。
【課題を解決するための手段】
【０００６】
この目的は、独立請求項によって規定される特徴を備えるタバコ製品またはタバコ関連商品または喫煙装置のためのパッケージ、そのパッケージを製造する方法、システムおよび消費者通信方法により解決される。好ましい実施形態および強化形態（enhancements）は従属請求項で規定される。
【０００７】
本発明の一つの態様によると、タバコ製品またはタバコ関連商品または喫煙装置のためのパッケージであって、情報暗号化パターンを含むパッケージが提供される。前記情報暗号化パターンが、第１の導電特性または第１の誘電特性を有する少なくとも一つの第１の領域と、第２の導電特性または第２の誘電特性を有する少なくとも一つの第２の領域とを備える。前記第１の導電特性が、前記第２の導電特性とは異なり、前記第１の誘電特性が、前記第２の誘電特性とは異なる。前記情報暗号化パターンが、静電式タッチスクリーン（capacitive touch screen）と相互作用するとき、すなわち前記情報暗号化パターンが前記タッチスクリーンに接近および／または接触するとき、前記情報暗号化パターンが前記静電式タッチスクリーン、例えばスマートフォンまたはタブレット型コンピュータなどの携帯機器のタッチスクリーンによって検出可能であるように構成される。パターンの検出は、静電式タッチスクリーンにより検知することができる第１の領域および第２の領域の誘電特性または導電特性の差に基づいている。本文脈における周知の誘電特性は誘電率（媒体中に電場を形成する際に受ける抵抗の尺度）であり、周知の導電特性は導電率（材料の電流を伝導する能力の尺度）である。類似の技術は、特許文献１において提案されている。
【０００８】
一般的には、情報暗号化パターンは、パッケージを一意的に識別する少なくとも一つの識別子を、例えば認証機能として暗号化する。代替的または付加的には、以下詳細に説明するように、情報暗号化パターンは、パッケージのステータス情報、すなわちパッケージが依然として未開封であるか、それとも既に開封されているかを示す情報を暗号化するために設けられ得る。任意の適切な暗号は、それぞれの情報を暗号化するために使用され得る。好ましくは、その暗号は、第２の領域によって形成される点状のサブパターンを用いて形成され、点は、第２の領域によって同じく形成される線によって選択的に接続され得る。第１の領域は、点および線が位置するバックグラウンド領域として機能する。
【０００９】
本発明のタバコ製品またはタバコ関連商品または喫煙装置のためのパッケージであって、便宜上、単に「パッケージ」または「パッケージング」と以下にしばしば称されるパッケージは、多数の利点を提供する。以下詳細に説明するように、上述した種類の情報暗号化パターンは、認証機能とシールとの両方として機能することができる。さらに、情報暗号化パターンは、標準的なスマートフォンまたはタブレット型コンピュータの一部を形成する公知の静電式タッチスクリーンを用いて容易に検出され得る。スマートフォンまたはタブレット型コンピュータ上の簡単なアプリケーションを用いて、情報暗号化パターンで暗号化された情報が復号、出力および／または外部サーバに送信され得る。外部サーバは、今度は、復号された情報に依存する補足データを提供することができる。言い換えると、本発明によるパッケージングは、偽造防止であることに加えて、自動認証検査と消費者通信との両方を支援する双方向性のパッケージングを意味する。よりさらに、例えばRFIDタグと比較して、以下に説明するように、例えば導電性インクをパッケージングの非導電性の部分に印刷することによって、情報暗号化パターンが低コストで製造され得る。実施形態によると、前記第１の領域が、前記パッケージの一部を形成し、前記第１の誘電特性を有する第１の材料から形成される。前記情報暗号化パターンが、前記第１の領域と、通常、第１の領域に、または第１の領域と隣接して位置し、前記第１の誘電特性とは異なる前記第２の誘電特性を有する第２の材料から形成される前記少なくとも一つの第２の領域とによって形成される。
【００１０】
代替的には、前記第１の領域が、前記パッケージの一部を形成し、前記第１の導電特性を有する第１の材料から形成される。この場合、前記情報暗号化パターンが、前記第１の領域と、やはり第１の領域に、または第１の領域と隣接して位置し、前記第１の導電特性とは異なる前記第２の導電特性を有する第２の材料から形成される前記少なくとも一つの第２の領域とによって形成される。
【００１１】
後者の代替案の好ましい変形例によると、前記第１の領域を形成する前記第１の材料が非導電性であり、前記少なくとも一つの第２の領域が、情報暗号化パターンを形成するために、前記第１の領域に、または第１の領域に隣接して導電性材料、好ましくは導電性インクを選択的に付着、好ましくは印刷することによって形成される。パッケージの部分を形成する第１の材料は導電性であり、第２の領域を形成する第２の材料が非導電性であることも可能である。
【００１２】
しかしながら、情報暗号化パターンを形成する第１の領域および第２の領域は、パッケージから離れて、例えば、パッケージングに貼り付けられる、特に接着されるラベルの形式で設けられ得る。この場合、ラベル基材、例えば紙またはプラスチックのラベル基材は、第１の領域を形成することができる。第２の領域が、情報暗号化パターンを形成するためにラベルに付着され、例えば印刷され得る。
【００１３】
導電性材料は、金属または金属粒子、例えばインク、ワニスまたは薄片などの材料であって、カーボンブラック、金属粒子またはグラファイト粒子などの導電性粒子または導電性ポリマ材料を備える材料を含む。
【００１４】
実施形態によると、情報暗号化パターンは肉眼で見ることができない。これは、一方では、偽造に対する保護をさらに強化する。他方では、パッケージの視覚的な外見が情報暗号化パターンによって損なわれない。このような見ることができない情報暗号化パターンを形成するために、透明な導電性インクが使用され得る。
【００１５】
実施形態によると、前記パッケージが開封される場合、前記情報暗号化パターンが少なくとも部分的に破壊されるように、前記情報暗号化パターンが前記パッケージに配置される。このようにして、パッケージが依然として密封されている間は、以下に説明した消費者通信方法を引き起こすために情報暗号化パターンが認証機能として機能することができる。情報暗号化パターンは、間接的には、シールとしてさらに機能することができる。パッケージを開封することにより情報暗号化パターンが破壊される場合、情報暗号化パターンをタッチスクリーンにより検出すること、および特に、情報暗号化パターンで当初暗号化された情報を復号することが機能しなくなる。この機能停止は、間接的には、パッケージがもはや未開封ではなく、むしろ手が加えられているか、または開封されていることを示す。それぞれの機能を提供するため、情報暗号化パターンは、好ましくはパッケージが開封される場合、互いと関連して移動されるパッケージの第１の部分と第２の部分との間の接合部分に位置する。
【００１６】
上記の実施形態の好ましい変形例によると、前記パッケージが開封された後、前記情報暗号化パターンの少なくとも一部が前記静電式タッチスクリーンによって依然として検出可能であり、この少なくとも一部分で暗号化された情報がタッチスクリーンを含むそれぞれの読取装置により依然として復号可能であるように、前記情報暗号化パターンが前記パッケージに配置される。この変形例は、パッケージが既に開封されている場合であっても、情報暗号化パターンが自動消費者通信方法を支援するために依然として認証機能として機能することができるという利点を有する。これはパッケージングを開封する間、未開封の状態のままである情報暗号化パターンの少なくとも一部分で、それぞれの情報が暗号化される場合に可能である。シールとしてさらに機能するため、パッケージが開封される場合、情報暗号化パターンは、少なくとも部分的に破壊される第２の部分において、パッケージングが未開封であることを示すステータス情報を暗号化することができる。パッケージが開封された後、このステータス情報は、もはや復号され得ない。
【００１７】
タバコ製品またはタバコ関連商品または喫煙装置のためのパッケージは、さまざまな寸法で、さまざまな材料から形成され得る。一実施形態によると、パッケージングは、紙巻きタバコ用硬質パック（cigarette hard pack）または紙巻きタバコ用軟質パック（cigarette soft pack）などのカートンベースまたは紙ベースの箱または小包である。任意選択的には、それぞれの小包または箱はインナーライナー、例えば保香性のためのインナーライナーを含むことができる。インナーライナーは、例えばアルミニウム箔積層体（aluminum foil laminate）を備えることができる。代替的または付加的には、小包または箱は、外側包装材、例えば保香性および／または保湿性のための外側包装材を備えることができる。外側包装材は、例えばプラスチックフィルムまたはプラスチック箔を備えてもよい。具体的な実施形態によると、紙ベースまたはカートンベースのパッケージは、複数の上述した箱や小包を含むコンテナとして形成される。このようなコンテナは、例えば複数の箱や小包をまとめる紙ベースの包装材により形成され得る。
【００１８】
これらの種類のパッケージングは、通常、紙巻きタバコ、細巻きの葉巻および葉巻などのタバコ製品を保管する働きをする。葉巻を、木箱、任意選択的にはインナーライナーおよび／または外側包装材を含む木箱に保管することもできる。さらに、紙ベースまたはカートンベースのパッケージは、紙巻きタバコのための巻紙、フィルタ、管またはフィルタ管などの喫煙用または非喫煙用タバコ関連商品を保管するために、使用され得る。巻紙は、紙ベースまたはカートンベースの小冊子に保管されもする。
【００１９】
別の実施形態によると、パッケージは、缶または缶詰またはキャニスタまたは箱、好ましくは金属および／またはプラスチックから形成される缶または缶詰またはキャニスタまたは箱として形成され得る。このような缶、缶詰または箱は、蓋またはカバーを用いて密封され得る開口部を備えることができる。蓋は、例えばヒンジを用いて缶または箱と接続され得る。代替的には、カバーは、スクリューキャップ、単に上に置かれるか、または差し込まれるキャップ、又は同様のものとして設けられ得る。
【００２０】
これらの種類のパッケージは、通常、ルース手巻きタバコ（loose roll your own tobacco）などのタバコ製品または噛みタバコ、ディッピングタバコ、溶解タバコ（dissolvable tobacco）、スヌースまたは嗅ぎタバコ（snuff）などの無煙タバコを保管する機能をもつ。また、電子タバコまたはエアゾール発生装置などの電子または非電子喫煙装置は、好ましくはこれらの種類のパッケージに保管される。
【００２１】
もう一つの実施形態によると、パッケージは、ポーチ、好ましくはプラスチックまたは箔貼り紙から形成されたポーチとして形成され得る。やはり、箔などの外側包装材は、任意である。また、この種類のパッケージは、ルース手巻きタバコなどのタバコ製品または無煙タバコを保管する働きをすることができる。
【００２２】
第二の態様によると、タバコ製品またはタバコ関連商品または喫煙装置のためのパッケージを製造する方法が提供される。第１のステップでは、タバコ製品またはタバコ関連商品または喫煙装置を保管するように構成されたパッケージングが設けられる。さらなるステップでは、情報暗号化パターンが前記パッケージングに設けられる。前記情報暗号化パターンが、第１の導電特性または第１の誘電特性を有する少なくとも一つの第１の領域と、第２の導電特性または第２の誘電特性を有する少なくとも一つの第２の領域とを備える。前記第１の導電特性が、前記第２の導電特性とは異なり、前記第１の誘電特性が、前記第２の誘電特性とは異なる。以上、既に詳細に説明したように、前記情報暗号化パターンが静電式タッチスクリーンと相互作用するとき、前記情報暗号化パターンは前記静電式タッチスクリーンによって検出可能であるように構成される。
【００２３】
好ましくは、第１の領域が、パッケージの一部を形成し、第１の材料から形成される。この第１の材料は、第１の誘電特性または第１の導電特性を有する。第２の材料は、少なくとも一つの第２の領域を形成するために、好ましくは第２の材料を第１の領域に付着させることによって使用される。第２の材料は、第１の誘電特性とは異なる第２の誘電特性を有するか、または、第１の導電特性とは異なる第２の導電特性を有する。
【００２４】
好ましい実施形態によると、情報暗号化パターンをパッケージに形成するために、パッケージングの非導電性材料から形成される部分は、第２の領域を形成するために第２の導電性材料が付着、好ましくは印刷される第１の領域として機能する。
【００２５】
さらなる好ましい変形例によると、情報暗号化パターンは、パッケージが開封される場合、情報暗号化パターンが少なくとも部分的に破壊されるようにパッケージングに設けられる。
【００２６】
上記方法は、パッケージングにタバコ製品を充填するステップと、パッケージングを密封するステップとをさらに備えることができる。
【００２７】
上述の方法ステップの順序は、パッケージングの種類、情報暗号化パターンの種類、および情報暗号化パターンをパッケージに付着させる方法に応じて変えることができる。いくつかの場合では、パッケージングにタバコ製品が充填、密封される前に情報暗号化パターンはパッケージングに付着されない。別の場合では、パッキングが充填、密封される前に、最初に情報暗号化パターンはパッケージングの一部に付着される。
【００２８】
第３の態様によると、第１の態様のタバコ製品またはタバコ関連商品または喫煙装置のためのパッケージと、静電式タッチスクリーンを、好ましくはスマートフォンまたはタブレット型コンピュータなどの携帯機器の形式で有する読取装置とを含むシステムが提供される。前記情報暗号化パターンが前記静電式タッチスクリーンと相互作用するとき、すなわち、情報暗号化パターンがタッチスクリーンに接近および／または接触する場合、前記読取装置が、前記静電式タッチスクリーンを用いて前記パッケージの前記情報暗号化パターンを検出するように構成される。前記読取装置は、前記情報暗号化パターンで暗号化された情報を復号するようにさらに構成される。その目的を達成するため、適切なアプリケーションが読取装置にインストールされ得る。よりさらに、前記読取装置は、好ましくは復号された情報の少なくとも一部を出力するように構成される。それぞれ出力された信号は、例えば表示、すなわち視覚信号として出力され得る。代替的または付加的には、出力された信号は、音響信号または触覚的に知覚可能である信号の形式で出力され得る。
【００２９】
実施形態によると、前記システムは、前記読取装置と通信網を経由して接続される外部サーバをさらに備えることができる。外部サーバは、タバコ製品またはタバコ関連商品または喫煙装置のためのパッケージのメーカまたはベンダによってホスト（host）され得る。この場合の前記読取装置は、前記復号された情報の少なくとも一部を前記外部サーバに送信するように構成される。前記外部サーバは、次に、前記復号された情報を処理するように構成され、特にそれぞれの情報を一または複数のデータベースに保管、および／または同一または類似の種類の複数のパッケージに関してこの種類の情報を分析するように構成される。前記外部サーバは、読取装置から受け取った前記復号された情報に応じて前記パッケージに関する補足データを提供するようにさらに構成され得る一般的には、補足データは、ステータス情報（直接的または間接的にパッケージが未開封であるか、それとも開封されているかを示す）および／または一意的にパッケージを特定する識別情報に依存する。前記読取装置は、前記補足データを処理、すなわち前記補足データを保管および／または出力および／または実行するように構成される。
【００３０】
第１の変形例によると、補足データは、パッケージの信頼性または真正性に関する認証情報を備えることができる。このようにして、消費者は、パッケージが本物であるか、それとも偽物であるかを通知され得る。
【００３１】
第２の変形例によると、補足データは、パッケージに関する製品情報を備えることができる。これは、例えばスペースの制約のためにパッケージに印刷され得ないタバコ製品および／または類似の製品に関する追加の情報を提供することを可能にする。
【００３２】
第３の変形例によると、補足データは、広告を備えることができる。
【００３３】
第４の変形例によると、補足データは、現在の種類のパッケージを直接再注文するか、例えばインターネットサイト上でタバコ製品についてコメントする可能性を備えることができる。
【００３４】
実施形態によると、外部サーバによって提供される補足データの種類および／または量は、ステータス情報が既に開封されたパッケージを示すか否かに依存することができる。特に、実施形態によると、外部サーバは、読取装置から受け取った復号された情報が、パッケージがもはや未開封ではなく、むしろ既に開封されていることを示すステータス情報を含む場合のみ、補足データの少なくとも一部を提供するように構成される。この場合、消費者は、タバコ製品が開封される前に補足データを得ることができない。
【００３５】
パッケージが開封された後にのみ提供される典型的な補足データは、例えばボーナスポイント、割引、またはコンピュータゲームなどのボーナス材料および／または追加機能である。しかしながら、タバコ製品についてコメントする可能性および／またはタバコ製品を直接再注文する可能性は、これらの特定の状況下でのみ提供され得る。
【００３６】
第４の態様によると、消費者通信方法が提供される。この方法は、システムに関する既に上述した目的のために、第３の態様によるシステムの要素を使用する。
【００３７】
前記方法は、第１の態様によるタバコ製品またはタバコ関連商品または喫煙装置のためのパッケージを設けるステップと、前記情報暗号化パターンが静電式タッチスクリーンと相互作用するとき、読取装置の前記静電式タッチスクリーンを用いて、前記パッケージの前記情報暗号化パターンを検出するステップと、前記情報暗号化パターンで暗号化された情報を復号するステップとを備え、好ましくは、前記読取装置によって復号された情報の少なくとも一部を出力するステップを備える。
【００３８】
消費者通信方法は、前記復号された情報の少なくとも一部を前記読取装置によって、インターネットまたは電気通信網などの適切な通信網を経由して、外部サーバに送信するステップと、前記外部サーバによってこの情報を処理するステップとをさらに備えることができる。
【００３９】
実施形態によると、消費者通信方法は、読取装置から受け取った前記復号された情報に応じて、前記パッケージに関する補足データを前記読取装置に提供するステップと、前記補足データを前記読取装置によって処理するステップとをさらに備える。
【００４０】
さらなる実施形態によると、前記補足データの少なくとも一部は、前記復号された情報に含まれるステータス情報が、前記パッケージが開封されていることを示す場合のみ提供される。
【００４１】
本発明の特徴、機能および利点、ならびにそれらが以上説明するように得られる方法は、添付の図面を参照して説明される例示的な実施形態の以下の説明に関連して、より明らかになり、かつより明確に理解されるであろう。
【００４２】
図面では、同一の要素番号は、いずれの図においても同一の要素を意味する。
【図面の簡単な説明】
【００４３】
【図１】例示的な情報暗号化パターンの概略図である。
【図２Ａ】第１実施形態によるタバコ製品またはタバコ関連商品または喫煙装置のためのパッケージを示す斜視図である。
【図２Ｂ】静電式タッチスクリーンを用いて、図２Ａのパッケージングの情報暗号化パターンを検出するステップを示す図である。
【図３】タバコ製品またはタバコ関連商品または喫煙装置のための第２実施形態によるパッケージを示す斜視図である。
【図４Ａ】タバコ製品またはタバコ関連商品または喫煙装置のための第３実施形態による密封状態にあるパッケージを示す斜視図である。
【図４Ｂ】タバコ製品またはタバコ関連商品または喫煙装置のための第３実施形態による開封状態にあるパッケージを示す斜視図である。
【図５】タバコ製品またはタバコ関連商品または喫煙装置のための第４実施形態によるパッケージを示す斜視図である。
【図６】タバコ製品またはタバコ関連商品または喫煙装置のためのパッケージを製造する方法のステップを概略的に示す図である。
【図７】図４のパッケージを含むシステムの構成要素を示す図である。
【図８】図２から図５に示す実施形態のいずれか１つによるパッケージに関する図７のシステムを使用する消費者通信方法のステップを概略的に示す図である。
【発明を実施するための形態】
【００４４】
図１には、情報暗号化パターン１０が概略的に示されている。第１の領域１２は、複数の第２の領域１４ａ、１４ｂ、１４ｃが配置されるバックグラウンドとして機能する。第１の領域１２は、第２の領域１４と共に情報暗号化パターン１０を形成する示した例では、第１の領域１２はタバコ製品またはタバコ関連商品または喫煙装置のためのパッケージの一部に対応する（図２〜５参照）。代替的には、第１の領域１２は、別個の基材、例えば、適切な接着剤を用いるか、または転写プロセスを用いて、例えばパッケージに配置されるように構成されたプラスチックの紙（paper of plastic）から形成されてもよい。
【００４５】
第１の領域１２は、非導電性である材料から形成される。第２の領域１４ａ、１４ｂ、１４ｃは、第１の領域に印刷される導電性インクから形成される。第２の領域１４を形成するために、任意の他の導電性材料および／またはプロセスが代替的に使用され得る。
【００４６】
一般的には、第１の領域１２は第１の導電特性を有し、第２の領域は第１の導電特性とは異なる第２の導電特性を有する。代替的には、第１の領域１２は第１の誘電特性を有し、第２の領域は第１の誘電特性とは異なる第２の誘電特性を有する。
【００４７】
例の第２の領域１４は、線１４ｂによって選択的に接続された点１４ａを含む。点１４ａおよび線１４ｂの特定の配置、特に互いに関する点１４ａの数および相対位置は、任意の適切なコードに応じて情報を暗号化するために使用され得る。本質的に点１４ａの特定のサブグループを導電的に接続する働きをする線１４ｂの数および配置だけでなく、点１４ａの数および相対位置は変えることができることは言うまでもない。点１４ａの代わりに、四角、三角または任意の他の規則的または不規則的な形状などの代替的な幾何学的図形は、第２の領域１４を形成するために使用され得る。さらに、線１４ｂは湾曲され、および／または交差していてもよい。
【００４８】
図１に示す例の情報暗号化パターン１０は、図４Ａ、図４Ｂを参照して以下詳細に説明するように、特定の種類の情報を暗号化するために使用される２つの分離可能な部分１６および部分１８を含む。第１の部分１６では、パッケージを一意的に識別する識別情報が暗号化される。第２の部分１８では、パッケージが未開封であるか、それとも開封されているかを示すステータス情報が暗号化される。これらの部分のうちの１つで暗号化される特定の種類の情報だけでなく、さまざまな種類の情報を暗号化する情報暗号化パターンの部数は変えることができる。
【００４９】
任意選択的結合領域（Optional coupling area）１４ｃは、線１４ｂによって残りの線１４ｂおよび点１４ａと接続される。これらの領域１４ｃは、通常、パッケージングを掴む消費者が、例えば消費者の指によって領域１４と接触するような方法で、それぞれのパッケージに配置される。第２の領域１４を形成する導電性の第２の材料の場合、これらの結合領域１４ｃは残りの第２の領域１４ａ、領域１４ｂの電位を消費者の電位となることを確実にする働きをする。
【００５０】
領域１４ｃは、パッケージングのそれぞれの部分で延在する複数の潜在的に交差する線１４ｂと置換され得る。便宜上、図２〜５では、任意選択的結合領域１４ｃは省略されている。
【００５１】
図２Ａ、図２Ｂを参照して以下に説明するように、情報暗号化パターン１０がタッチスクリーンと相互作用するとき、すなわち、情報暗号化パターン１０がタッチスクリーンに接近および／または接触するとき、情報暗号化パターン１０は静電式タッチスクリーン（capacitive touch screen）によって検出されるように構成される。
【００５２】
図２Ａは、タバコ製品またはタバコ関連商品または喫煙装置のためのパッケージ２０の第１実施形態を斜視図で示す。図２Ｂは、スマートフォンなどの読取装置２２の静電式タッチスクリーン２４を用いて、図２Ａのパッケージング２０上の情報暗号化パターン１０を検出するステップを示す。
【００５３】
パッケージ２０は、カバー２０ｂを用いて再密封可能な（reclosable）基部２０ａを含む缶の形状で設けられる。カバー２０ｂは、単に基部２０ａの上に置かれるか、または差し込まれ得るか、またはスクリューキャップとして設けられ得る。缶２０は、例えば噛みタバコ、ディッピングタバコ、溶解タバコ（dissolvable tobacco）、スヌースまたは嗅ぎタバコ（snuff）などの任意の種類の無煙タバコを保管する働きをすることができる。
【００５４】
缶２０の上部には、情報暗号化パターン１１０が配置されている。カバー２０ｂは、第１の領域１２として機能し、点１４ａおよび線１４ｂは第２の領域１４を形成する。図１の情報暗号化パターン１０の第１の部分１６に本質的に対応する情報暗号化パターン１１０は、図２Ｂに示すように、スマートフォンなどの読取装置２２のタッチスクリーン２４を用いて検出され得る。この目的を達成するため、情報暗号化パターン１１０はタッチスクリーン２４によって接触される。タッチスクリーン２４は、非導電性の第１の領域１２に対する導電性の差に起因して第２の領域１４を感知する。
【００５５】
スマートフォン２２はパターン１１０で暗号化された情報を復号するように構成されたアプリケーションを含む。この復号された情報の少なくとも一部は出力され、例えば読取装置２２によって表示され得る、および／または図７および図８を参照して以下詳細に説明するようにさらなるインスタンス（instance）に送信され得る。
【００５６】
図３は、タバコ製品またはタバコ関連商品または喫煙装置のための第２実施形態によるパッケージ１２０を斜視図で示す。パッケージング１２０は、外側包装材３０によって包囲されたポーチ２９としてプラスチック箔から形成される。このようなパッケージング１２０は、例えば喫煙用ルース手巻きタバコ（loose roll your own tobacco）などのルースタバコを保管することができる。外側包装材３０の上には、外側包装材３０の開封テープ（tear tape）３２を引き剥がすことによって包装材３０が開封される場合、情報暗号化パターン１１０が破壊されるような方法で、情報暗号化パターン１１０が付着されている。言い換えると、パッケージ１２０が未開封である限り、情報暗号化パターン１１０を検出することのみでき、特に、情報暗号化パターン１１０で暗号化された情報を復号することのみできる。パッケージングを開封するとすぐに、情報暗号化パターン１１０を含む包装材３０は破壊される。
【００５７】
しかしながら、この場合であっても、パッケージング１２０が未開封である限り、情報暗号化パターン１１０は、認証機能（authenticity feature）として使用され得る。情報暗号化パターン１１０は、パッケージング１２０を認証するために使用することができる識別情報を保管することができる。情報暗号化パターン１１０の検出に失敗する場合、破られた外側包装材３０に起因して、パッケージング１２０がもはや未開封でなく、既に開封されていることを消費者は依然として間接的に推測することができる。言い換えると、上述の方法で配置される情報暗号化パターン１１０は、シール（seal）として機能することもできる。
【００５８】
図４Ａおよび図４Ｂは、タバコ製品またはタバコ関連商品または喫煙装置のための第３実施形態による密封状態（図４Ａ）および開封状態（図４Ｂ）の両方にあるパッケージ２２０を斜視図で示す。
【００５９】
パッケージ２２０は、通常知られた紙巻きタバコ用硬質箱（cigarette hard box）、すなわちヒンジ蓋２６を備えるカートン箱（carton box）として形成される。箱内部の紙巻きタバコは、アルミニウム箔積層体（aluminum foil laminate）から形成されたインナーライナー２８（図４Ｂ参照）によって、さらに包囲される。任意選択的には（図示なし）、外側包装材、例えばプラスチック箔が設けられ得る。図４Ｂに示すように、箱がヒンジ蓋２６を開放することにより開封される場合、第２の部分１８が破壊されるような方法でカートン箱の前側面に図１による情報暗号化パターン１０が付着されている。一般的には、図３に関して上述した例として、情報暗号化パターン１０がパッケージングの第１の部分と第２の部分との間の接合部分に配置されるような方法で、情報暗号化パターン１０はパッケージ上に設けられ得る。パッケージングが開封される場合、第１の部分および第２の部分は互いと関連して移動され、それによって情報暗号化パターンの少なくとも一部を破壊する。
【００６０】
図３を参照して説明した実施形態とは対照的に、情報暗号化パターン１０は、箱２２０が開封される場合、完全に破壊されるわけではない。箱２２０を開封した後、例えば識別情報を暗号化する情報暗号化パターン１０の第１の部分１６は、依然として無傷であり、それ故に、パッケージ２２０の開封前後でパッケージ２２０の信頼性を確認するために使用され得る。
【００６１】
図４Ｂに示すように、情報暗号化パターン１０の第２の部分１８のみがパッケージング２２０を開封することによって破壊される。パッケージングが未開封である限り、第２の部分１８は検出され得るし、第２の部分１８に暗号化された情報、例えばパッケージが未開封であるか、それとも開封されているかを示すステータス情報が復号され得る。もはや第２の部分は検出され得ないか、もはや第２の部分で暗号化された情報が復号され得ない場合、消費者はパッケージングが既に開封されていることを間接的に推測することができる。
【００６２】
好ましい変形例によると、第１のパターン１８のサブパターン１８ａ（図４Ｂ参照）は、第２のサブパターン１８ｂのない状態で、パッケージングが破壊されているという事実を暗号化することができる。第１のサブパターン１８ａを第２のサブパターン１８ｂと接続する線１４ｂは破壊された状態のままであるので、ヒンジ蓋２６を閉めても情報暗号化パターン１０の当初の第２の部分を修復することはなく、その事実は、通常、タッチスクリーン２４によって感知され得る。
【００６３】
図５は、タバコ製品またはタバコ関連商品または喫煙装置のための第４実施形態によるパッケージ３２０を斜視図で示す。この実施形態によると、情報暗号化パターン１１０は、紙巻きタバコ用硬質箱のインナーライナー２８に対して、プルタブ（pull tab）２８ａと、ライナー２８の残りの部分２８ｂとの間の接合部分に付着されている。プルタブ２８ａを引き引き剥がすとき、情報暗号化パターン１１０は破壊される。この実施形態は、図３の実施形態に対して機能的に匹敵する。
【００６４】
図６は、タバコ製品またはタバコ関連商品または喫煙装置のためのパッケージ、例えば上述した実施形態のいずれか１つによるパッケージングを製造する方法のステップを概略的に示す。ステップＳ１では、タバコ製品を保管するように構成されたパッケージング２０、１２０、２２０、３２０、例えばカートン箱（図４参照）、ラミネートされたライナー（laminated liner）（図５参照）、缶（図２）またはポーチ（図３）が提供される。さらなるステップＳ２では、上述したように情報暗号化パターン１０がパッケージングに設けられる。情報暗号化パターン１０は、第１の導電特性または第１の誘電特性を有する少なくとも１つの第１の領域１２と、第２の導電特性または第２の誘電特性を有する少なくとも１つの第２の領域１４とを備える。第１の導電特性が、第２の導電特性とは異なり、第１の誘電特性が、第２の誘電特性とは異なる。情報暗号化パターン１０がタッチスクリーン２４と相互作用するとき、情報暗号化パターン１０は読取装置２２の静電式タッチスクリーン２４によって検出可能であるように構成される。
【００６５】
好ましい実施形態によると、パッケージング２０の非導電性の部分は、第２の領域が導電性インクを用いて印刷される第１の領域として機能する。
【００６６】
図７は、図４のパッケージを含むシステムの構成要素を示す。システムは、代替的または付加的に、上述した実施形態のいずれかによるパッケージ備えることができる。システム４０は、少なくとも１つの読取装置２２を、好ましくはスマートフォンまたはタブレット型コンピュータなどの携帯機器の形式でさらに備える。図１、図２および図４を参照して以上詳細に説明したように、読取装置２２は、パッケージ２２０の情報暗号化パターン１０を検出するように構成された静電式タッチスクリーン２４を含む。読取装置２２は、検出された情報暗号化パターン１０で暗号化された情報を復号するようにさらに構成されている。好ましくは、読取装置２２は、復号された情報の少なくとも一部、例えばパッケージング２２０が依然として未開封であるか、それとも開封されているかを表示するステータス情報と一致するステータス信号を出力することもできる。上記のように、このようなステータス情報は、例えば情報暗号化パターン１０の部分１８で暗号化され得る。
【００６７】
システム４０は、読取装置２２とインターネットなどの通信網３６を経由して接続される外部サーバ３８をさらに備えることができる。読取装置２２は、復号された情報の少なくとも一部を、この情報を処理するように構成された外部サーバ３８に送信するように構成される。
【００６８】
パッケージ２２０のメーカまたはベンダによってホスト（host）され得る外部サーバ３８は、読取装置２２から受け取った情報に応じて、パッケージ２２０に関する補足データを読取装置２２に提供するように構成される。読取装置２２は、補足データを処理、例えば保管、表示、および／または実行するように構成される。図８を参照して以下詳細に説明するように、読取装置２２から受け取った情報がパッケージ２２０が既に開封されていることを示す場合のみ、外部サーバ３８は補足データの少なくとも一部を提供するように構成され得る。
【００６９】
図７に示すシステム４０は、図８を参照して以下に説明される消費者通信方法を支援する働きをすることができる。
【００７０】
第１のステップＴ０では、タバコ製品またはタバコ関連商品または喫煙装置のためのパッケージ２２０が設けられる。ステップＴ１では、パッケージング２２０の情報暗号化パターン１０が、読取装置２２のタッチスクリーン２４を用いて検出される。ステップＴ２では、情報暗号化パターン１０で暗号化された情報、例えば情報暗号化パターン１０の第１の部分１６および第２の部分１８でそれぞれ暗号化され得る識別情報およびステータス情報が読取装置２２によって復号される。
【００７１】
ステップＴ３では、読取装置２２が復号された情報の少なくとも一部を適切な方法で出力することができる。読取装置は、パッケージが既に開封されているか否かを示すステータス信号を、例えば情報暗号化パターンで暗号化されたステータス情報に基づいて、出力することができる。消費者は、このようにして、パッケージが未開封であるか否かを簡単かつ確実に確認することができる。
【００７２】
第１の変形例によると、その方法は、この段階で停止することができる。別の変形例によると、例えば図２Ａに示す実施形態の場合のように、例えば情報暗号化パターン１１０がステータス情報を上述した意味で直接的にも間接的にも暗号化しない場合、復号された情報の一部を出力するステップは省略され得る。
【００７３】
好ましい変形例によると、以下に説明するように、さらなるステップが、ステップＴ３を省略するか否かに関わらず引き続き行われる。
【００７４】
ステップＴ４では、読取装置２２が復号された情報、例えば識別情報およびステータス情報の少なくとも一部を、外部サーバ３８に通信網３６を経由して送信する。ステップＴ５では、それぞれの情報が外部サーバ３８によって処理される。この情報を処理することは、この情報を保管および／または分析することを含むことができる。この段階においても、さらなる変形例によると、その方法は停止することができる。
【００７５】
好ましい変形例によると、パッケージ２２０に関する補足データは、外部サーバ３８によって、ステップＴ４で受け取った情報に応じて、特にステータス情報および／または識別情報に応じて、読取装置２２に提供される。ステップＴ６では、外部サーバが、特にパッケージ２２０が既に開封されているか否かを示すステータス情報が受けられた場合、読取装置２２から受け取った情報を分析する。肯定である場合、ステップＴ７．２を参照して説明するように、補足データの第１のセットが読取装置２２に提供される。このデータは、一方では、ステータス情報から独立して、読取装置２２によって読み取った識別情報に基づく特定のパッケージング２２０に関する認証情報および／または通常の製品情報を含むことができる。他方では、補足データは、パッケージング２２０を購入し、開封した消費者のためのさらなる注文の割引またはコンピュータゲームなどのボーナス材料（bonus material）を含むことができる。
【００７６】
しかしながら、ステップＴ６で外部サーバ３８が、受け取った情報を分析することによって、製品パッケージング２２０が依然として未開封であることを見出す場合、ステップＴ７．１では補足データは認証情報および通常の製品情報のみを提供するので、ボーナス材料は提供しない。変形例によると、ステップＴ７．１も、この場合、すなわち補足データが提供されない場合に省略され得る。
【００７７】
ステップＴ８では、読取装置２２は、受け取った補足データを処理する、例えば認証情報および通常の製品情報を表示する。ボーナス材料は、受け取られる場合、任意の適切な方法で処理され得る。
【符号の説明】
【００７８】
１０、１１０  情報暗号化パターン
１２  第１の領域
１４  第２の領域
１４ａ、１４ｂ、１４ｃ  第２の領域を形成する要素
１６  情報暗号化領域の第１の部分
１８  情報暗号化領域の第２の部分
２０、１２０、２２０、３２０  タバコ製品またはタバコ関連商品または喫煙装置のためのパッケージ
２０ａ  缶の基部
２０ｂ  カバー
２２  読取装置
２４  静電式タッチスクリーン
２６  ヒンジ蓋
２８  インナーライナー
２８ａ  インナーライナーのプルタブ
２９  ポーチ
３０  外側包装材
３２  開封テープ
３６  通信網
３８  外部サーバ
４０  システム
Ｓ１、Ｓ２  タバコ製品またはタバコ関連商品または喫煙装置のためのパッケージを製造する方法のステップ
Ｔ０〜Ｔ８  消費者通信方法のステップ
【図１】
2019505445.tif 000003
【図２Ａ】
2019505445.tif 000004
【図２Ｂ】
2019505445.tif 000005
【図３】
2019505445.tif 000006
【図４Ａ】
2019505445.tif 000007
【図４Ｂ】
2019505445.tif 000008
【図５】
2019505445.tif 000009
【図６】
2019505445.tif 000010
【図７】
2019505445.tif 000011
【図８】
2019505445.tif 000012
【国際調査報告】
2019505445.tif 000013
2019505445.tif 000014
2019505445.tif 000015